(57)【要約】【課題】  採尿しやすい形状であると共に、吸水性樹脂を用いずに、採尿した尿をそのまま移し変える必要がなく、採尿量に比べ、あまり大きな容量にならず、たとえ横に倒してもこぼれにくい構造を持つ採尿バッグを安価に得ること。【解決手段】  表フィルム（５）と裏フィルム（６）からなる外側フィルムを互いに周囲で接着して密封し、表フィルムに採取する取り入れ口の孔（３）を設けた採尿バッグにおいて、孔の内側に内側フィルム（２）を設け、取り入れ孔から採取された尿が、この内側フィルムと表フィルムとの間を通って内部に溜められる構造であることを特徴とする採尿バッグ。【選択図】図１
2014150944.tif 000002
【特許請求の範囲】
【請求項１】
表フィルムと裏フィルムからなる外側フィルムを互いに周囲で接着して密封し、表フィルムに採取する取り入れ口の孔を設けた採尿バッグにおいて、孔の内側に内側フィルムを設け、取り入れ孔から採取された尿が、この内側フィルムと表フィルムとの間を通って内部に溜められる構造であることを特徴とする採尿バッグ。
【請求項２】
内側フィルムは、下側を除く３方の一部、又は３方全部が外側フィルムに固定されていることを特徴とする請求項１に記載の採尿バッグ。
【請求項３】
内側フィルムの下端が前後でつながっており、内側フィルムの内面における下端近傍に、突起を設けたことを特徴とする請求項１又は２に記載の採尿バッグ。
【請求項４】
内側フィルムの内面に設けた突起が、エンボスで設けた突起であることを特徴とする請求項３に記載の採尿バッグ。
【発明の詳細な説明】
【技術分野】
【０００１】
本発明は、主として新生児や自宅介護老人などの健康状態を診察する為に、病院から検査機関へ移送したり、家庭で採取し、検査のため搬送する採尿バッグに関する。
【背景技術】
【０００２】
従来、採尿バッグは、渋滞した自動車の中など、トイレに行きたくても行けない場合に、使用されていた。その場合、採尿バッグ内部にあらかじめ入れておいた吸水性樹脂で吸い取り、こぼれにくい機構になっていた。
しかし、診察の一環として、病院内で採尿、検査する場合の採尿に用いる容器としては、そのような吸水性樹脂に吸い取らせたのでは、尿の重要な成分まで吸水性樹脂内部に吸収され、検査に支障がでてしまう問題がある。そのため、従来は、単に蓋付のコップなどで対応していた。
しかし、コップでの採尿は、尿がこぼれやすく、臭いもあり、容器が柔らかで、蓋も閉めにくく、容器周囲に付着し、付着した尿により病気が移る可能性もあるなど問題があった。特に乳幼児や老人などでは、診察時に尿がでない場合も多々あり、家庭で採尿をしても、こぼさないで尿を保存する手段が必要になっていた。
しかも、病院では採算や効率を上げる手段として、検査を病院内部で行わず、外部検査機関に委託することが一般的になっており、病院で採尿する場合も、旧態然とした紙コップでは、長時間の保管は難しく、新たに専用の容器に移すなど、手間が掛かっていたので、簡単に採尿し、移送できる採尿バッグが求められていた。
【０００３】
文献１では、採尿口を穿った表袋壁と表袋壁の全周縁において密に接続する裏袋壁とを樹脂フィルムで一体に形成したバッグで、空気入りタブレット状小袋を互いに離れて多数散在固定された樹脂フィルム製パッキング材からなるスペーサを表袋壁裏袋壁間に介入してなる採尿袋を提案している。
このバッグは、空気入りタブレット状小袋を互いに離れて多数散在固定された樹脂フィルム製パッキング材からなるスペーサを挿入しているので、表袋壁と裏袋壁との間を隔離し、かつ、それらの小袋は互いに離れて多数散在固定されているので、常に空間が出来ている。そこで、その通路空間を通り、袋底に溜まる。採尿者が動いて、採尿袋に圧迫が加わっても、空気入りタブレット状小袋がこの圧力を支えるので、通路空間は縮小せず、逆流したり、漏れ出ることはないというものである。
しかしながら、初期の新生児の場合を除いて、採尿の量はかなりの量になり、上記隙間の容積では、とても間に合わない。しかも、乳幼児は、座ったり、立っているだけではないので、寝ころがったりしても漏れ出ないようにするには、バッグが倒れる方向になってももれにくくする必要があるが、この方法では、漏れは防げない問題がある。しかも、乳幼児の尿の量に対応するには、非常に大きなバッグにする必要があり、そのようなものを股下に設置して幼児を置くことは、さらに難しい問題があった。
【０００４】
文献２では、採尿用開口の周縁でかつ体表面と当接する面にこの体表面に接着できる環状の接着面を設けた採尿バッグにおいて、上記体表面の会陰に当接する部分の上記接着面に、この接着面に対してほぼ平行に延びかつロッド状に突出した凸条部を形成し、このロッド状に突出した凸条部を上記会陰の狭間に挟ませながら上記体表面に接着して採尿漏れを防ぐものである。
しかしながら、この採尿バッグは、単に尿を受けるだけのもので、取り付けたチューブで逐次抜き取れるようになっており、採尿バッグに一時保存して、検査などに搬送させるバッグではない。従って、排出しないまま、搬送した場合、開口部からこぼれてしまう問題は解決されるものではない。また、大人が便器で採尿する為のもので、いつ採尿できるか分からない乳幼児の採尿には不向きであった。
【先行技術文献】
【特許文献】
【０００５】
【特許文献１】実公昭５８−１０５９６号公報
【特許文献２】実公平２−２３２９５号公報
【発明の概要】
【発明が解決しようとする課題】
【０００６】
そこで、採尿しやすい形状であると共に、採尿した尿をそのまま移し変える必要がなく、採尿量に比べ、あまり大きな容量にならず、たとえ横に倒してもこぼれにくい構造を持つ採尿バッグを安価に得ることが、本発明の課題である。
【課題を解決するための手段】
【０００７】
請求項１の発明は、表フィルムと裏フィルムからなる外側フィルムを互いに周囲で接着して密封し、表フィルムに採取する取り入れ口の孔を設けた採尿バッグにおいて、孔の内側に内側フィルムを設け、取り入れ孔から採取された尿が、この内側フィルムと表フィルムとの間を通って内部に溜められる構造であることを特徴とする採尿バッグである。
【０００８】
請求項２の発明は、内側フィルムは、下側を除く３方の一部、又は３方全部が外側フィルムに固定されていることを特徴とする採尿バッグである。
【０００９】
請求項３の発明は、内側フィルムの下端が前後でつながっており、内側フィルムの内面における下端近傍に、突起を設けたことを特徴とする採尿バッグである。
【００１０】
請求項４の発明は、内側フィルムの内面に設けた突起が、エンボスで設けた突起であることを特徴とする採尿バッグである。
【発明の効果】
【００１１】
本発明の採尿バッグは、スムーズに採尿が可能で、吸水性樹脂を用いないが、横に倒しても漏れにくい構造になっており、かつ、保管の体積も小さい。そのため、姿勢が一定に保てない乳幼児などにも利用可能な採尿が可能で、その際、寝返りをしても尿は漏れない。そのため、家庭での採尿も可能であり、病院外の検査機関などへ、他の容器に移し変えなくても尿検査に搬送が可能な採尿バックになっている。しかも、通常の製袋機の応用すれば、連続した機械製造が可能なので、安価に製造できる。
【図面の簡単な説明】
【００１２】
【図１】本発明の採尿バッグの外観図と、その上側縦方向の断面図と、内側フィルムの形状を示す外観図である。
【図２】本発明の採尿バッグで、採尿している状態を示す上側縦方向の断面図である。
【図３】本発明の採尿バッグで、採尿し終えて、尿を保管している状態を示す上側縦方向の断面図で、縦に立てた状態と、横に寝かした状態を示した図である。
【図４】本発明の採尿バッグで、内側フィルムが内面側にエンボスで突起を設けたタイプの実施例を示す採尿バッグで、外観図と、その上側縦方向の断面図と、内側フィルムの形状を示す外観図である。
【図５】図４で示した採尿バッグで、採尿している状態を示す上側縦方向の断面図である。
【図６】図４で示した採尿バッグで、本発明の採尿バックで、採尿し終えて、尿を保管している状態を示す上側縦方向の断面図で、縦に立てた状態と、横に寝かした状態を示した図である。
【図７】図４で示した採尿バッグで、切り取り口部分で切り、尿を貯めた下部を分離した状態を示す外観図である。
【図８】本発明の採尿バッグの、孔を設けた部分における横断面図である。
【図９】本発明の採尿バッグで、陰部を覆って採尿する当り面形状を変えた別の実施例における外観図である。
【図１０】本発明の採尿バッグの別の実施例における外観図と、その上側縦方向の断面図と、内側フィルムの形状を示す外観図である。
【発明を実施するための形態】
【００１３】
以下、本発明の採尿バッグの実施の形態例について、図を用いて詳細に説明する。
図１に、本発明の一例の採尿バッグ１を示す。
図１−１に外観図、図１−２に上側の断面を示すように、表フィルム５と裏フィルム６が融着した袋状のバッグで、表フィルム５の中央より上側に孔３が設けられ、孔３の周囲外側には陰部と密着できるパッド３１が接着、または融着されている。
密着パッド３１は、外側に粘着層を設けて、陰部周囲の肌に密着させて、採尿時の漏れを防ぐ構造が好ましい。
表フィルム５と裏フィルム６で囲われた内部には、内側フィルム２が融着されている。
内側フィルム２は、２枚で構成され、その表フィルム５寄りのフィルムが孔３の周囲に接しやすくなっている。
図１−３は、その内側フィルムで、舌状に下側の延び、表フィルム５、裏フィルム６と融着しない部分があり、この部分は自由に動くことが可能になっている。
図１−３では内側フィルムが上側で折り曲げられた形状になっているが、それぞれ独立したフィルムであってもかまわない。また、内側フィルム２の上側、左右の３方の融着部２１２は、表フィルム５と裏フィルム６の周囲と一緒に、一体的に融着、固定される。
【００１４】
図２は、採尿している状態を示している。
パッド３１に陰部が密着するようにして採尿バックを固定し、尿が出ている場合には、内側フィルム２がその圧力で内側に移動し、尿７が内部に注ぎ込まれる。
【００１５】
図３は採尿し、採尿バッグ中の尿の状態を示している。
図３−１は、通常に保管する状態で、採尿バッグは縦に置かれている。尿７は下側に貯められ、内側フィルムは、採尿時に濡れた為、尿の表面張力によって、表フィルム５に密着している。
図３−２は、採尿途中の状態で、採尿バッグが一時的に寝かされた状態になっている。この場合でも、内部フィルム２が表フィルム５に密着しているので、短時間であれば、一時的に寝かされた状態になっても漏れにくくなっている。
【００１６】
図４は、本発明の採尿バッグにおける、別の実施例を示した。
図４−１は、内側フィルム２の内側に突起２１１を設けたフィルム２１を採用した実施例である。この突起２１１を設けたフィルムは、エンボス加工で内側に突起を付けたが、シリコン樹脂を滴下して硬化させたフィルムでも良いし、ホットメルト樹脂や低融点樹脂を滴下して作成しても、突起を設けることができる。
この内側フィルム２の突起は、内側フィルムの下側に設けられ、この突起によってフィルムが内部で広がり、その分、表側の内側フィルム２が、より、表フィルム５の近傍に近づいて、弁の役目を果し易くなるようになる。
図４−２は、内側に突起２１１を設けたフィルム２１を採用した採尿バッグの縦断面図で、内側フィルム２は一枚のエンボスフィルムを下側で折り曲げた形状になっている。この内側に突起２１１を設けたフィルム２１は、互いに向き合う側にエンボスが掛かっているので、一定の膨らみを有し、表フィルム５側の内側フィルム２は、表フィルム５の極近くに位置している。逆に内側フィルム２の外側は、平滑な面に所々凹部があるだけなので、一定の面積があれば、表フィルム５と接する場合、弁の働きをすることができる。
図４−３は、内側に突起２１１を設けたフィルム２１で、エンボスフィルムを下側で折り曲げている。この３方向の周囲の融着部２１２は、採尿バッグの表フィルム５と裏フィルム６と融着し、固定される部分である。
【００１７】
図５は、採尿している状態を示している。
パッド３１に陰部が密着するようにして採尿バッグを固定し、尿が出ている場合には、内側フィルム２である突起２１１を設けたフィルム２１がその圧力で内側に移動し、尿７が内部に注ぎ込まれる。
【００１８】
図６は採尿し、内側に突起２１１を設けたフィルム２１を内側フィルム２に採用した採尿バッグ中の尿の状態を示している。
図６−１は、通常に保管する状態で、採尿バッグは縦に置かれている。尿７は下側に貯められ、内側フィルムは、採尿時に濡れた為、尿の表面張力によって、表フィルム５に密着している。
図６−２は、採尿途中の状態で、採尿バッグが一時的に寝かされた状態になっている。この場合でも、内側フィルム２が表フィルム５に密着しているので、漏れにくくなっている。
【００１９】
図７は、採尿バッグの開口方法の一例を示した図である。
図７−１のように、採尿バッグの内部フィルム２の側面シールより下側に、切り取り口４１を左右に設け、ここからバッグを上下で切り分け、図７−２で示すように、下側に溜まっている尿を採取する。
採尿バッグの底面が、図７−３のように、マチを付けて、スタンディングパウチの形状にして、安定して立てるようにすると、多めに採尿した場合でも、対応しやすい。
【００２０】
図８は、本発明の採尿バッグの横断面を示す図である。孔３近傍の内側フィルムは、側面部分で、表フィルムと裏フィルムと一緒にシールされて、固定される。
孔３の周囲に設けられたパッド３１は、皮膚と粘着性、密着性がある材料で製造されている。その粘着性、密着性を損なわれないように、保護フィルム３２で覆っておくと良い。採尿バッグを使用する時に、保護フィルム３２を外して、陰部をあてがう様にする。この保護フィルム３２は、孔近傍の衛生性も保たれて、二重に効能が得られる。
【００２１】
図９は本発明の採尿バッグ１のパッド３１の形状を変えた別の実施例の外観図である。卵型にし、断裁したパッド３１を使用したもので、陰部周囲との密着面積を大きくした例である。
【００２２】
図１０は、本発明における別の実施例で、内側フィルム２が表フィルム５の周囲ではなく、内側に融着部２１２を持たせ、内部フィルム２を一枚で対応した例である。内側フィルム２の下側は表フィルム５に融着せず、３方は融着しているので、尿の注入時以外の時は、内側フィルム２は表フィルム５に密着している、至ってシンプルなものである。
【００２３】
本発明は、以上のようなものであるが、採尿バッグの表フィルム５と裏フィルム６を形成する積層シートの構成は、最内面に熱可塑性樹脂を用い、その他にバリア性の高いフィルムを含めることが好ましいが、材質は特に限定されない。
たとえば、外側から、ポリエチレンテレフタレート／ポリエチレン、
ポリアミド／ポリエチレン／無機酸化物蒸着ポリエチレンテレフタレート／ポリエチレン、
ポリエチレン／ポリアミド／ポリエチレン／アルミ蒸着ポリエチレンテレフタレート／ポ
リエチレン、
ポリアミド／ポリエチレン／アルミ箔／ポリエチレンテレフタレート／ポリエチレン、
ポリエチレンテレフタレート／ポリエチレン／エチレン酢酸ビニル共重合体鹸化物／ポリエチレン、
ポリエチレンテレフタレート／ポリエチレン／接着樹脂／ポリアミド／接着樹脂／ポリエチレン
などの構成が考えられる。
【００２４】
内側の熱可塑性樹脂には、高圧法低密度ポリエチレンの他、直鎖状低密度ポリエチレン、中密度ポリエチレン、高密度ポリエチレン、ポリプロピレン、エチレン・プロピレン共重合体、エチレン・酢酸ビニル共重合体などが使用できる。
【００２５】
最内層を除く表フィルム、裏フィルムのフィルム構成には、バリア層を設けると良い。バリア層は、尿の臭気を遮断し、快適な環境にするには必要である。
バリア層としては、酸化珪素蒸着エチレンテレフタレートフィルム、エチレン・酢酸ビニル共重合体鹸化物フィルムのような透明性のあるものが好ましい。透明性のあるシートにすれば、尿の量がよく分かるので、分配する時にこぼしたりしにくい。
切り取り口のような切り欠きを使用する開封手段を使用しない場合は、ポリアミド樹脂なども使用できる。落下や折り曲げなどによっても孔が開きにくく、透明性が必要な場合、便利である。
もし、全体に厚くなってしまい、特に切り欠き性が必要な場合は、一軸延伸したフィルムを間に挟む構成が便利である。延伸と直角方向に切れやすくなる。
透明性が必要でない場合は、アルミ蒸着エチレンテレフタレートフィルム、酸化アルミ蒸着エチレンテレフタレートフィルム、などを使用し、そのエチレンテレフタレートフィルムの厚みは６ミクロンメーターから２５ミクロンメーターなどが使用できる。
さらにバリア層として、蒸着ではないが、エチレンテレフタレートフィルムにアルミ箔をドライラミネーションしたフィルムであっても良いし、エチレンテレフタレートフィルムの代わりに延伸ポリアミドフィルムであってもかまわない。
【００２６】
表フィルム、裏フィルムは、通常、エクストルーダーラミネート機でバリア層の上に溶融樹脂を押し出しながら、溶融樹脂を接着剤も兼ねて積層することで、融着させる。この溶融樹脂としては、高圧法低密度ポリエチレンの他、直鎖状低密度ポリエチレン、中密度ポリエチレン、高密度ポリエチレン、ポリプロピレン、エチレン・プロピレン共重合体、エチレン・酢酸ビニル共重合体、エチレン−メタクリル酸共重合体、エチレン−アクリル酸共重合体、エチレンーメチルアクリレート共重合体、アイオノマー樹脂などが使用できる。このラミネーションに使用される溶融樹脂は、バリア層の表面性や腰の強さにもよるが、３ミクロンメーターから６０ミクロンメーターの厚みで使用する。
【００２７】
内側フィルム２は、表裏が熱可塑性樹脂層で、表フィルム内面と密着しやすい平滑面があれば、どのような構成のフィルムでもかまわない。
できれば、外側に反り気味のフィルム構成であれば、表側と裏側のフィルムがくっついて、表フィルム５と内側フィルム２との密着に阻害するような問題が起こりにくく、そのようなフィルムが好ましい。例えば、ポリエチレン／ポリアミド樹脂／ポリエチレンで、外側のポリエチレンを内側ポリエチレンよりも極端に薄くするなどの構成である。ラミネーション条件によっては、容易に作成できるが、あまり極端な条件にすると、巻き取りにくくなり、生産性が落ちる問題が発生してしまうので、極端な反りの発生はできない。
【００２８】
内側フィルム同士が向き合う所に設ける突起は、エンボス機でシートを融点より３０度ほど下で、ガラス転移点よりも充分高い温度に加熱し、そのシートにエンボスを掛ける。その大きさは直径１ミリメートルから５ミリメートルで、高さは０．５ミリメートルから
２ミリメートル程度が好ましいが、その大きさにはこだわらない。
ただ、エンボスの加工密度は、エンボス反対側の平滑面で、孔３の周囲を覆えるように、低い密度で構成される必要がある。
また、このエンボスの代わりに、紫外線硬化の樹脂を滴下し、盛り上がり部を一定の密度で分布させる方法でもかまわないし、発泡印刷で水玉模様を印刷し、それを発泡させる方法でもかまわない。また、ホットメルト樹脂や低融点樹脂を部分滴下しても製造できる。この方法では、高価にはなるが、裏面を平滑にできるので、尿の漏れを心配しないで突起を設けることができる。
【００２９】
パッド３１は、陰部周辺の肌との粘着性や密着性がよく、陰部にフィットする柔軟性のあるものが好ましい。
材料としては、エチレン・酢酸ビニル共重合体シートのような自己粘着性のあるものから、アクリル系粘着剤を表面に塗工したものでも使用できる。できる限り、自己粘着性のものが好ましい。あまり粘着性が高いと、外す時、非常に痛い問題が出てしまい、乳幼児に恐怖を与えかねない。
このパッド３１は、シートを打ち抜いて作成しても、射出成形等で成形してもかまわない。
パッド３１と表フィルム５との接着は、融着が好ましいが、接着剤、両面粘着シートの使用も考えられる。
【００３０】
パッド３１の保護フィルム３２は、単にポリエチレンなどの単層フィルムでもかまわないし、表面がシリコン系のフィルム、紙粉が出ない離型紙でも使用できる。紙粉などの異物が混入するなどの悪さしないようになっていれば、問題はない。
【００３１】
以下に、本発明の具体的な実施例について説明する。
【実施例】
【００３２】
表フィルム５、裏フィルム６として、ポリエチレンテレフタレート３２ミクロンメートルと低密度ポリエチレン５０ミクロンメートルのフィルムをエクストルーダーラミネート機で２０ミクロンメートルのポリエチレン溶融樹脂を押し出しながら積層し製造した。
内側フィルム２はポリエチレン２５ミクロンメートル／ポリアミド３０ミクロンメートル／ポリエチレン４０ミクロンメートルで積層し、直径３ミリメートル、高さ１ミリメートルのエンボスを掛け、断裁機で所定の大きさに切って、突起側を内側にして折り曲げた。パッド３１は、１．５ミリメートル厚の発泡したエチレン・酢酸ビニル共重合体シートの両面に耐水性両面テープを粘着した状態で打ち抜いて作成した。
表フィルム５に孔３を開け、パッド３１を粘着固定した。その表フィルム５と裏フィルム６との間に折り曲げた内側フィルムを挟んだ状態で周囲を熱融着し、外形をビク刃で打ち抜いて、採尿バッグを作成した。
【００３３】
＜評価結果＞
生後６ヶ月の乳幼児男女３人ずつに、上記実施例で作成した採尿バッグで評価した。
男３人は、すべて、漏れもなく、採尿ができた。
女３人の内、２人に漏れはなかったが、一人は、寝返り時に外れた部分ができて、３ミリリットルの漏れは発生したが、２８ミリリットルの採尿ができたので、検査に支障は出なかった。
【００３４】
本発明の採尿バッグは、以上の様なもので、柔軟性の高いパッドとだけではなく、逆流防止の役目をする内側フィルムを使用しているので、乳幼児や老人などの採尿に対し、漏れにくく、家庭など、慣れていない人でも、採尿しやすい採尿バッグで、かつ、特殊な製造装置が必要ではないなど、本発明のメリットは大きい。
【符号の説明】
【００３５】
１・・・・・・・・・採尿バッグ
２・・・・・・・・・内側フィルム
２１・・・・・・・・フィルム（突起を設けた内部フィルム）
２１１・・・・・・・突起
２１２・・・・・・・融着部（内部フィルム）
３・・・・・・・・・孔
３１・・・・・・・・パッド
３２・・・・・・・・保護フィルム
４・・・・・・・・・融着部（周囲）
４１・・・・・・・・切り取り口
５・・・・・・・・・表フィルム
６・・・・・・・・・裏フィルム
７・・・・・・・・・尿
【図１】
2014150944.tif 000003
【図２】
2014150944.tif 000004
【図３】
2014150944.tif 000005
【図４】
2014150944.tif 000006
【図５】
2014150944.tif 000007
【図６】
2014150944.tif 000008
【図７】
2014150944.tif 000009
【図８】
2014150944.tif 000010
【図９】
2014150944.tif 000011
【図１０】
2014150944.tif 000012